(57)【要約】【課題】  突出リブで貼着面が形成される部分でも表示シールの隅部を確実にて貼着することができ、表示シールが捲れ上がって剥がれるのを防止できるようにする。【解決手段】  スタッキング状態で下に位置する収納コンテナＡの上端面に載るスタッキング脚部２を収納コンテナＡの外面の下部に形成すると共にネスティング状態で上に位置する収納コンテナＡのスタッキング脚部２が納まるネスティング凹部３を収納コンテナＡの内面の上部に形成する。ネスティング凹部３を形成することにより外面側に突出した部分の外面の平面部４と、この平面部４より収納コンテナＡの角部と反対側で収納コンテナＡの外面側に突出させた突出リブ５の先端面とで表示シール６を貼着し得るシール貼着面１を形成する。突出リブ５でシール貼着面１を形成する部分ではシール貼着面１の隅部から中心方向に向けて傾斜せる一対の傾斜突出リブ５ａ，５ｂを略く字状になるように設ける。【選択図】        図１
2005126096.tif 000002
【特許請求の範囲】
【請求項１】
下に位置する収納コンテナに対して上に位置する収納コンテナの向きを変えることでネスティング状態にしたり、スタッキング状態にしたりできる収納コンテナにおいて、スタッキング状態で下に位置する収納コンテナの上端面に載るスタッキング脚部を収納コンテナの外面の下部に形成すると共にネスティング状態で上に位置する収納コンテナのスタッキング脚部が納まるネスティング凹部を収納コンテナの内面の上部に形成し、ネスティング凹部を形成することにより外面側に突出した部分の外面の平面部と、この平面部より収納コンテナの角部と反対側で収納コンテナの外面側に突出させた突出リブの先端面とで表示シールを貼着し得るシール貼着面を形成し、突出リブでシール貼着面を形成する部分では収納コンテナの角部と反対側の上の隅部から収納コンテナの角部側の下の隅部に向けて傾斜せる傾斜突出リブを設けたことを特徴とする収納コンテナの表示シールの貼着部の構造。
【請求項２】
下に位置する収納コンテナに対して上に位置する収納コンテナの向きを変えることでネスティング状態にしたり、スタッキング状態にしたりできる収納コンテナにおいて、スタッキング状態で下に位置する収納コンテナの上端面に載るスタッキング脚部を収納コンテナの外面の下部に形成すると共にネスティング状態で上に位置する収納コンテナのスタッキング脚部が納まるネスティング凹部を収納コンテナの内面の上部に形成し、ネスティング凹部を形成することにより外面側に突出した部分の外面の平面部と、この平面部より収納コンテナの角部と反対側で収納コンテナの外面側に突出させた突出リブの先端面とで表示シールを貼着し得るシール貼着面を形成し、突出リブでシール貼着面を形成する部分ではシール貼着面の上下の隅部から前記ネスティング凹部の中心方向に向けて傾斜せる一対の傾斜突出リブを略く字状になるように設けたことを特徴とする収納コンテナの表示シールの貼着部の構造。
【発明の詳細な説明】
【技術分野】
【０００１】
本発明は、収納コンテナにおいて、収納した物品の種類や個数等を表示する表示シールを貼着する部分の構造に関するものである。
【背景技術】
【０００２】
一般に物品を収納して運搬をする合成樹脂製の収納コンテナは、下に位置する収納コンテナに対して上に位置する収納コンテナの向きを変えることでネスティング（積み重ね）状態としたり、スタッキング（積み上げ）状態としたりできるようになっている。つまり、内部に物品を収納したときにはスタッキング状態として複数の収納コンテナを上下に積み上げ、物品を収納しない空のときはネスティング状態として複数の収納コンテナを上下に積み重ねて嵩低くできるようになっている。
【０００３】
収納コンテナの外面の下部にはスタッキング脚部を外面側に突出するように形成してあり、収納コンテナの内面の上部にはネスティング凹部を設けてあり、収納コンテナをスタッキング状態で積み重ねたときは下に位置する収納コンテナの上端面に上に位置する収納コンテナのスタッキング脚部が載り、収納コンテナをネスティング状態で積み重ねるときは下に位置する収納コンテナのネスティング凹部にスタッキング脚部が納まるようになっている。
【０００４】
またこの収納コンテナでは収納した物品の種類や個数等を表示する必要があるため、収納コンテナの上部の外面にシール貼着面を設け、シール貼着面に表示シールを粘着剤にて貼着して表示するようになっている（例えば、特許文献１参照）。
【０００５】
このシール貼着面はネスティング凹部を設ける位置の外面側に設けられる。つまり、ネスティング凹部を設けることにより外面側に突出する平面部を形成することができるため、この部分に設けられる。シール貼着面を設けるときシール貼着面の横方向の幅とネスティング凹部の横方向の幅が同じであると、成形上問題なく平面状のシール貼着面を形成できるのであるが、横方向の幅の広い表示シールを貼るためにシール貼着面の横方向の幅をネスティング凹部の横方向の幅のより広くしてネスティング凹部をより収納コンテナの角部側と反対側に突出する場合には平面部を形成すると金型を抜くことができないため、この部分では外面側に突出リブを複数本設けることで突出リブの先端面に表示シールを貼着するようになっている。
【特許文献１】特許第３０３２７１５号公報
【発明の開示】
【発明が解決しようとする課題】
【０００６】
ところが、上記のように複数本の突出リブを設けて突出リブの先端を貼着する面にしたものでは長手方向が上下方向を向く突出リブを横方向に平行に複数本設けてあるだけであり、表示シールを貼ったとき表示シールの隅部が突出リブの先端の面に対応する可能性は少なく、表示シールが剥がれやすいという問題がある。つまり、矩形状の表示シールを粘着剤で貼ったとき、表示シールの隅部が付いていないと、そこから捲れやすいという問題がある。特に表示シールの上の隅部が付いていないと、そこから捲れやすい。
【０００７】
本発明は上記の従来の問題点に鑑みて発明したものであって、突出リブで貼着面が形成される部分でも表示シールの隅部を確実にて貼着することができ、表示シールが捲れ上がって剥がれるのを防止できる収納コンテナの表示シールの貼着部の構造を提供することを課題とするものである。
【課題を解決するための手段】
【０００８】
上記課題を解決するために本発明の請求項１に係る収納コンテナの表示シールの貼着部の構造は、下に位置する収納コンテナＡに対して上に位置する収納コンテナＡの向きを変えることでネスティング状態にしたり、スタッキング状態にしたりできる収納コンテナＡにおいて、スタッキング状態で下に位置する収納コンテナＡの上端面に載るスタッキング脚部２を収納コンテナＡの外面の下部に形成すると共にネスティング状態で上に位置する収納コンテナＡのスタッキング脚部２が納まるネスティング凹部３を収納コンテナＡの内面の上部に形成し、ネスティング凹部３を形成することにより外面側に突出した部分の外面の平面部４と、この平面部４より収納コンテナＡの角部と反対側で収納コンテナＡの外面側に突出させた突出リブ５の先端面とで表示シール６を貼着し得るシール貼着面１を形成し、突出リブ５でシール貼着面１を形成する部分では収納コンテナＡの角部と反対側の上の隅部から収納コンテナＡの角部側の下の隅部に向けて傾斜せる傾斜突出リブ５ｄを設けたことを特徴とする。
【０００９】
また本発明の請求項２に係る収納コンテナの表示シールの貼着部の構造は、下に位置する収納コンテナＡに対して上に位置する収納コンテナＡの向きを変えることでネスティング状態にしたり、スタッキング状態にしたりできる収納コンテナＡにおいて、スタッキング状態で下に位置する収納コンテナＡの上端面に載るスタッキング脚部２を収納コンテナＡの外面の下部に形成すると共にネスティング状態で上に位置する収納コンテナＡのスタッキング脚部２が納まるネスティング凹部３を収納コンテナＡの内面の上部に形成し、ネスティング凹部３を形成することにより外面側に突出した部分の外面の平面部４と、この平面部４より収納コンテナＡの角部と反対側で収納コンテナＡの外面側に突出させた突出リブ５の先端面とで表示シール６を貼着し得るシール貼着面１を形成し、突出リブ５でシール貼着面１を形成する部分ではシール貼着面１の上下の隅部から前記ネスティング凹部３の中心方向に向けて傾斜せる一対の傾斜突出リブ５ａ，５ｂを略く字状になるように設けたことを特徴とする。  
【００１０】
上記のように平面部４より収納コンテナＡの角部と反対側の部分では外面側に突出する突出リブ２にて貼着面を形成してあるために金型が抜ける構造で貼着面を形成できるのは勿論、請求項１では突出リブ５で貼着面を形成しても傾斜突出リブ５ｄにて表示シール６を貼ったとき表示シール６の上の隅部を必ず傾斜突出リブ５ｄの先端面に接触させて隅部を貼着することができ、表示シール６が剥がれないように確実に貼着することができる。また請求項２では突出リブ５にて貼着面を形成しても傾斜突出リブ５ａ，５ｂにて表示シール６を貼ったとき表示シール６の上下の隅部を必ず傾斜突出リブ５ａ，５ｂの先端面に接触させて隅部を貼着することができ、表示シール６が剥がれないように確実に貼着することができる。
【発明の効果】
【００１１】
本発明は、叙述のように構成されているので、突出リブにて貼着面を形成しても傾斜突出リブにて表示シールを貼ったとき表示シールの少なくとも上の隅部を必ず傾斜突出リブの先端面に接触させて貼着することができ、表示シールを貼着したとき表示シールの隅部が捲れ上がって表示シールが剥がれるおそれがないように表示シールを確実に貼着することができるという効果がある。
【発明を実施するための最良の形態】
【００１２】
以下、本発明を添付図面に示す実施形態に基いて説明する。
【００１３】
収納コンテナＡは合成樹脂製であって、図１や図５乃至図９に示すように矩形状の底板８と底板８の四周に一体に立設した一対の側壁板９ａ，９ｂと一対の側壁板１０ａ，１０ｂとで上面を開口せる角箱状に形成されている。収納コンテナＡの底板８は斜め格子状に形成されており、略正方形の透孔７が多数穿孔されている。収納コンテナＡの側壁板９ａ，９ｂ，１０ａ，１０ｂには上下に長い長孔状の透孔１１が多数穿孔されている。収納コンテナＡの上部には外方に向けて突出するようにフランジ１２，１３を略全周に亙るように設けてあり、収納コンテナＡのコーナー部の外面側のフランジ１３の下方に間隔を隔てて外方に突出するフランジ１４を設けてある。
【００１４】
側壁板９ａ，９ｂの外面の下部にはスタッキング脚部２を外方に突出するように設けてある。このスタッキング脚部２には幅の狭いスタッキング脚部２ａと幅の広いスタッキング脚部２ｂとがある。側壁板９ａでは右側の端部手前にスタッキング脚部２ａを左側の端部手前にはスタッキング脚部２ｂを設けてある。側壁板９ｂでは側壁板９ａと線対称になる位置にスタッキング脚部２ａ，２ｂを設けてある。側壁板９ａ，９ｂの内面の上部には上端及び内面を開口せるネスティング凹部３を凹設してある。このネスティング凹部３には幅が狭くて上記スタッキング脚部２ａが挿入し得る程度の幅のネスティング用凹部３ａと、幅が広くて上記スタッキング脚部２ｂが挿入し得る程度の幅のネスティング用凹部３ｂとがある。側壁板９ａでは側壁板９ａの右の端部とスタッキング脚部２ａとの間にネスティング凹部３ｂを設けてあり、スタッキング脚部２ｂの右側の位置にはネスティング凹部３ａを設けてある。側壁板９ｂでは側壁板９ａと線対称になる位置にネスティング凹部３ａ，３ｂを設けてある。
【００１５】
側壁板１０ａ，１０ｂの外面の下部にもスタッキング脚部２を外方に突出するように設けてある。このスタッキング脚部２は幅の狭いスタッキング脚部２ａで形成されている。側壁板１０ａでは側壁板９ａ，９ｂ側の端部から離れた位置で夫々スタッキング脚部２ａ，２ａを設けてあり、側壁板１０ｂでは側壁板９ａ，９ｂ側の端部端部近くにスタッキング脚部２ａ，２ａを設けてある。側壁板１０ａ，１０ｂの内面の上部には上端及び内面を開口せるネスティング凹部３を凹設してある。このネスティング凹部３は幅の狭いネスティング凹部３ａにて形成されている。側壁板１０ａでは側壁板９ａ，９ｂ側の端部近くに夫々ネスティング凹部３ａ，３ａを設けてあり、側壁板１０ａのネスティング凹部３ａ，３ａの位置と、側壁板１０ｂのスタッキング脚部２ａ，２ａの位置とが対向している。側壁板１０ｂでは側壁板９ａ，９ｂ側の端部から離れた位置で夫々ネスティング凹部３ａ，３ａを設けてあり、側壁板１０ｂのネスティング凹部３ａ，３ａの位置と側壁板１０ａのスタッキング脚部２ａ，２ａの位置が対向している。
【００１６】
上記のように側壁板９ａ，９ｂ及び側壁板１０ａ，１０ｂの外面の下部にはスタッキング脚部２ａ，２ｂが外方に突出するように設けられるが、このスタッキング脚部２ａ，２ｂを補強するため、フランジ１２とスタッキング脚部２ａ，２ｂの上端との間に外面に沿って補強リブ１５を形成してある。またスタッキング脚部２ａ，２ｂの外面側の下部には下方に突出する係止突部１６を設けてあり、フランジ１２には係止突部１６が係止し得る係止溝部１７を設けてある。
【００１７】
上記のように構成せる収納コンテナＡは内部に物品を収納して積み上げるときには複数個の収納コンテナＡがスタッキング状態になるように積み上げられる。つまり、下に位置する収納コンテナＡの側壁板９ａ，９ｂ，１０ａ，１０ｂと上に位置する収納コンテナＡの側壁板９ａ，９ｂ，１０ａ，１０ｂの位置が上下で対応するように収納コンテナＡを上下に積み上げる。すると、上に位置する収納コンテナＡの全てのスタッキング脚部２ａ，２ｂの下面が下に位置する収納コンテナＡのフランジ１２の上に位置すると共に係止突部１６が係止溝部１７に係止して図１０に示すようなスタッキング状態となる。
【００１８】
収納コンテナＡ内に物品を収納していない空の状態のときには複数個の収納コンテナＡがネスティング状態になるように積み重ねられる。つまり、下に位置する収納コンテナＡに対して上に位置する収納コンテナＡを水平面で１８０°回転させて向きを変え、下に位置する収納コンテナＡの側壁板９ａの上に、上に位置する収納コンテナＡの側壁板９ｂを位置させ、下に位置する収納コンテナＡの側壁板９ｂの上に、上に位置する収納コンテナＡの側壁板７ａを位置させ、下に位置する側壁板１０ａの上に、上に位置する収納コンテナＡの側壁板１０ｂを位置させ、下に位置する収納コンテナＡの側壁板１０ｂの上に、上に位置する収納コンテナＡの側壁板１０ａを位置させ、収納コンテナＡを上下に積み重ねる。このように収納コンテナＡを上下に積み重ねると、上に位置する収納コンテナＡの各スタッキング脚部２ａ，２ｂが夫々下に位置する収納コンテナＡのネスティング凹部３ａ，３ｂに対応して上に位置する収納コンテナＡのスタッキング脚部２ａ，２ｂが下に位置する収納コンテナＡのネスティング凹部３ａ，３ｂに挿入され、図１１に示すように複数個の収納コンテナＡがネスティング状態に上下に積み重ねられる。このネスティング状態に複数個の収納コンテナＡを積み重ねたとき下に位置する収納コンテナＡのフランジ１２の上に上に位置する収納コンテナＡのフランジ１４が載る。
【００１９】
また本発明の場合、収納コンテナＡの側壁板１０ａにおける側壁板９ａ側の上部の外面には図１、図２に示すように矩形状のシール貼着面１を設けてあり、収納コンテナＡ内に収納した物品の種類や個数等を表示する表示する表示シール６が粘着剤の粘着にて貼り付けることができるようになっている。シール貼着面１は収納コンテナＡをネスティング状態に積み重ねたとき外面に露出する部分に設けてあり、フランジ１２とフランジ１４との間に設けてある。
【００２０】
このシール貼着面１は側壁板１０ａの右側のネスティング凹部３ａに対応する位置に設けられるのであるが、ネスティング凹部３ａの左右方向の幅より左右方向の幅が広くなっており、ネスティング凹部３ａの左右端より左右方向に広がっている。このシール貼着面１の上下方向の高さはネスティング凹部３ａの高さと同じである。このシール貼着面１の左右方向の中央部分はネスティング凹部３ａに対応する部分に設けてあり、ネスティング凹部３ａを形成することにより外面側に突出した部分の外面の平面部４にて形成されている。この平面部４より収納コンテナＡの角部側である右側の平面部１８は収納コンテナＡの角部まで形成してあり、この平面部１８は平面部１８の背面側の側方を開口せる凹所１９を設けることで形成してある。このように平面部１８を形成することで金型の型抜きができる。
【００２１】
またシール貼着面１の平面部４より収納コンテナＡの角部側と反対側である左側は収納コンテナＡの側壁板１０ａより外面側に突出させた突出リブ５の先端面で貼着面を形成してある。このように突出リブ５を設けることで突出リブ５の先端面で貼着面を形成すると、金型の型抜きがし得る構造で貼着面を形成することができる。本発明では突出リブ５の先端面で貼着面を形成するのであるが、この突出リブ５を設けるときシール貼着面１の上下の隅部からネスティング凹部３ａの中心方向に向けて傾斜せる一対の傾斜突出リブ５ａ，５ｂを略く字状になるように設けてある。また本例の場合、突出リブ５として傾斜突出リブ５ａ，５ｂ以外に傾斜突出リブ５ａと傾斜突出リブ５ｂとの間に水平な水平突出リブ５ｃも設けてある。
【００２２】
またシール貼着面１の周囲にはシール貼着面１の周囲を囲むように剥がれ防止枠部２０を突設してある。シール貼着面１の平面部１８には表示シール６を剥がすとき指を掛けるための指掛け用切り欠き２１を設けてある。シール貼着面１のうち中央の平面部４の外面には図４のように微細な突起２３を多数設けたな梨地面を設けてあり、右側の平面部１８の外面には図４のように微細な突条２２を左右に間隔を隔てて設けた糸リブ面を設けてある。本例の場合、平面部４の外面に梨地面を平面部１８の外面に糸リブ面を設けたが、平面部４と平面部１８の両方の外面を梨地面としても、両方の外面とも糸リブ面としてもよい。シール貼着面１を設けた部分では上記のようにスタッキング脚部２ａとフランジ１２との間に亙るようにスタッキング脚部２ａを補強する補強リブ１５を設けることができないため、シール貼着面１の突出リブ５を設けた部分と、これらの部分とスタッキング脚部２ａとの間の補強リブ１５′でスタッキング脚部２ａを補強している。
【００２３】
収納コンテナＡ内に物品を収納した状態で、物品の種類や個数等を表示した表示シール６がシール貼着面１に貼着される。このときシール貼着面１の周囲が剥がれ防止枠部２０にて囲まれているために表示シール６が剥がれにくい。また表示シール６をシール貼着面１に貼着したとき、表示シール６の左側の上下の隅部が傾斜突出リブ５ａ，５ｂに対応してこの隅部が貼着されるので、捲れ上がりやすい表示シール６の隅部が貼着されて突出リブ５の先端面に貼着する構造でも表示シール６が不用意に剥がれるのを防止できる。このとき表示シール６のサイズが変わっても表示シール６の隅部を傾斜突出リブ５ａ，５ｂに対応させて貼着でき、不用意に剥がれるのを防止できる。
【００２４】
物品を収納した収納コンテナＡを輸送して物品を取り出した後、空の収納コンテナＡはネスティング状態になるように積み重ねられ、ネスティング状態で回収した収納コンテナＡはこの状態で洗浄されるが、このとき表示シール６が剥がされる。表示シール６を剥がすとき、指掛け用切り欠き２１に指を掛けて表示シール６を剥がすことができる。また表示シール６を剥がすとき、収納コンテナＡをネスティング状態に積み重ねても表示シール６の全面が露出して表示シール６を剥がしやすい。
【００２５】
上記例では一対の傾斜突出リブ５ａ，５ｂを略く字状に設けたが、図１２に示すように傾斜突出リブ５ｄを設けるだけでもよい。つまり、図１２に示すように突出リブ５でシール貼着面１を形成する部分では収納コンテナＡの角部と反対側の上の隅部（図の例では左の上の隅部）から収納コンテナＡの角部側の下の隅部（図の例では右の下の隅部）に向けて傾斜せる傾斜突出リブ５ｄを設けたものでもよい。このようにしてあると、表示シール６の上の隅部（図の例では左の上の隅部）が傾斜突出リブ５ｄに対応してこの隅部が貼着されるので、捲れ上がりやすい表示シール６の上の隅部が貼着されて突出リブ５の先端面に貼着する構造でも表示シール６が不用意に剥がれるのを防止できる。
【図面の簡単な説明】
【００２６】
【図１】本発明の実施の形態の一例の収納コンテナの斜視図である。
【図２】（ａ）は同上の要部の平面図、（ｂ）は（ａ）の正面図である。
【図３】図２（ｂ）のＢ−Ｂ′線断面図である。
【図４】同上の梨地面と糸リブ面を示す拡大斜視図である。
【図５】同上の収納コンテナ全体を示す平面図である。
【図６】図５の正面図である。
【図７】図５の背面図である。
【図８】図５の左側面図である。
【図９】図５の右側面図である。
【図１０】同上の収納コンテナのスタッキング状態の要部の断面図である。
【図１１】同上の収納コンテナのネスティング状態の要部の断面図である。
【図１２】同上の他の例の要部の正面図である。
【符号の説明】
【００２７】
Ａ  収納コンテナ  
１  シール貼着面
２  スタッキング脚部
３  ネスティング凹部
４  平面部
５  突出リブ
５ａ，５ｂ  傾斜突出リブ
５ｄ  傾斜突出リブ
６  表示シール
【図１】
2005126096.tif 000003
【図２】
2005126096.tif 000004
【図３】
2005126096.tif 000005
【図４】
2005126096.tif 000006
【図５】
2005126096.tif 000007
【図６】
2005126096.tif 000008
【図７】
2005126096.tif 000009
【図８】
2005126096.tif 000010
【図９】
2005126096.tif 000011
【図１０】
2005126096.tif 000012
【図１１】
2005126096.tif 000013
【図１２】
2005126096.tif 000014